【手続補正書】
【提出日】平成27年11月9日(2015.11.9)
【手続補正１】
【補正対象書類名】明細書
【補正対象項目名】０００８
【補正方法】変更
【補正の内容】
【０００８】
上記目的を達成するために、本発明に係る眼科情報処理システムは、眼科画像を撮影する撮影部と、選択情報を表示する選択情報表示キーと選択肢を移動する選択移動キーと選択肢を実行する実行キーとを有する操作部と、前記眼科画像、および前記選択情報を表示する表示部と、を備える眼科装置と、前記眼科装置と接続された情報処理装置と、を有し、前記情報処理装置は、特定の機能を前記選択肢で選択できる情報とする選択項目情報を記憶する記憶部と、前記選択項目情報を、前記眼科装置に表示可能な選択情報画像として生成する眼科装置表示用画像生成部と、前記眼科装置から送信された前記操作部の操作情報を含む情報を受信する受信手段と、前記眼科装置表示用画像生成部で生成された選択情報画像を前記眼科装置に送信する送信手段と、前記受信手段で受信した情報に含まれる前記操作部の操作情報に応じて、前記記憶部の動作を制御する動作制御手段と、を備えたことを特徴とする。
【手続補正２】
【補正対象書類名】明細書
【補正対象項目名】０００９
【補正方法】変更
【補正の内容】
【０００９】
また、上記目的を達成するために、本発明に係る眼科アプリケーションは、眼科画像を撮影する撮影部と、選択情報を表示する選択情報表示キーと選択肢を移動する選択移動キーと選択肢を実行する実行キーとを有する操作部と、前記眼科画像、および前記選択情報を表示する表示部と、を備える眼科装置、と、接続されて前記眼科装置で撮影された前記眼科画像を記録する眼科アプリケーション、であって、前記眼科アプリケーションが有する特定の機能を前記選択肢で選択できる情報とする、記憶された選択項目情報を、前記眼科装置に表示可能な選択情報画像として生成する眼科装置表示用画像生成部と、前記眼科装置から送信された前記操作部の操作情報を含む情報を受信する受信手段と、前記眼科装置表示用画像生成部で生成された選択情報画像を前記眼科装置に送信する送信手段と、前記受信手段で受信した情報に含まれる前記操作部の操作情報に応じて、前記アプリケーションの動作を制御する動作制御手段と、を備えたことを特徴とする。
【手続補正３】
【補正対象書類名】特許請求の範囲
【補正対象項目名】全文
【補正方法】変更
【補正の内容】
【特許請求の範囲】
【請求項１】
眼科画像を撮影する撮影部と、選択情報を表示する選択情報表示キーと選択肢を移動する選択移動キーと選択肢を実行する実行キーとを有する操作部と、前記眼科画像、および前記選択情報を表示する表示部と、を備える眼科装置と、
前記眼科装置と接続された情報処理装置と、有し、
前記情報処理装置は、
特定の機能を前記選択肢で選択できる情報とする選択項目情報を記憶する記憶部と、
前記選択項目情報を、前記眼科装置に表示可能な選択情報画像として生成する眼科装置表示用画像生成部と、
前記眼科装置から送信された前記操作部の操作情報を含む情報を受信する受信手段と、
前記眼科装置表示用画像生成部で生成された選択情報画像を前記眼科装置に送信する送信手段と、
前記受信手段で受信した情報に含まれる前記操作部の操作情報に応じて、前記記憶部の動作を制御する動作制御手段と、
を備えたことを特徴とする眼科情報処理システム。
【請求項２】
前記選択肢の選択位置を管理する表示管理部を備え、
前記動作制御手段は、
前記眼科装置の前記選択情報表示キーが操作された時に前記表示部に前記選択情報画像を表示させ、
前記眼科装置の前記選択移動キーが操作された時に前記表示管理部で選択肢の選択状態を更新し、
前記選択状態に応じた選択情報画像を生成させて前記表示部に前記選択情報画像を表示させ、
前記眼科装置の前記選択肢を実行する実行キーが操作された時に前記表示管理部で管理する前記選択状態にある前記選択肢で前記記憶部の動作を制御する、ことを特徴とする請求項１に記載の眼科情報処理システム。
【請求項３】
前記選択肢の選択位置を管理する表示管理部を備え、
前記動作制御手段は、
前記眼科装置が前記眼科画像を撮影した時に前記表示部に前記選択情報画像を表示させ、
前記眼科装置の前記選択移動キーが操作された時に前記表示管理部で選択肢の選択状態を更新し、
前記選択状態に応じた選択情報画像を生成させて前記表示部に前記選択情報画像を表示させ、
前記眼科装置の前記選択肢を実行する実行キーが操作された時に前記表示管理部で管理する前記選択状態にある前記選択肢で前記記憶部の動作を制御する、ことを特徴とする請求項１に記載の眼科情報処理システム。
【請求項４】
前記眼科装置は被検眼の固視を促す内部固視灯の点灯位置を操作するキー及び前記内部固視灯を強調表示するキーを有し、
前記操作部における前記選択移動キーを前記内部固視灯の点灯位置を操作するキー、前記実行キーを前記内部固視灯の強調表示するキーとして割り当てることを特徴とする請求項１乃至３の何れか一項に記載の眼科情報処理システム。
【請求項５】
前記選択肢の中に被検眼の撮像を含む前記被検眼の検査の終了を含むことを特徴とする請求項１又は２に記載の眼科情報処理システム。
【請求項６】
前記表示部に前記選択情報画像が表示されている状態において、前記選択肢を実行する前記実行キーが操作された時に、
前記表示部における前記選択情報画像の表示を解除し、もとの表示に戻すことを特徴とする請求項１乃至３の何れか一項に記載の眼科情報処理システム。
【請求項７】
前記眼科装置は、前記被検眼が左右眼の何れであるかを検知する左右眼検知手段と、撮像する被検眼の左右が切換ったことを検知する左右切り換え検知手段と、を有し、
前記表示部に前記選択情報画像が表示されている状態において、前記左右切り換え検知手段が前記被検眼の左右が切換ったことを検知した時に、前記表示部における前記選択情報画像の表示を解除し、もとの表示に戻すことを特徴とする請求項１乃至３の何れか一項に記載の眼科情報処理システム。
【請求項８】
前記眼科装置は、前記撮影を禁止させる撮影禁止手段を有し、
前記選択情報表示キーが操作され、前記表示部に前記選択情報画像が表示された時に、撮影禁止手段は前記撮影を禁止することを特徴とする請求項１乃至３の何れか一項に記載の眼科情報処理システム。
【請求項９】
眼科画像を撮影する撮影部と、選択情報を表示する選択情報表示キーと選択肢を移動する選択移動キーと選択肢を実行する実行キーとを有する操作部と、前記眼科画像、および前記選択情報を表示する表示部と、を備える眼科装置、と、接続されて前記眼科装置で撮影された前記眼科画像を記録する眼科アプリケーション、であって、
前記眼科アプリケーションが有する特定の機能を前記選択肢で選択できる情報とする、記憶された選択項目情報を、前記眼科装置に表示可能な選択情報画像として生成する眼科装置表示用画像生成部と、
前記眼科装置から送信された前記操作部の操作情報を含む情報を受信する受信手段と、
前記眼科装置表示用画像生成部で生成された選択情報画像を前記眼科装置に送信する送信手段と、
前記受信手段で受信した情報に含まれる前記操作部の操作情報に応じて、前記アプリケーションの動作を制御する動作制御手段と、
を備えたことを特徴とする眼科アプリケーション。
【請求項１０】
前記選択肢の選択位置を管理する表示管理部を更に備え、
前記動作制御手段は、
前記眼科装置の前記選択情報表示キーが操作された時に前記表示部に前記選択情報画像を表示させ、
前記眼科装置の前記選択移動キーが操作された時に前記表示管理部で選択肢の選択状態を更新し、
前記選択状態に応じた選択情報画像を生成させて前記表示部に前記選択情報画像を表示させ、
前記眼科装置の前記選択肢を実行する実行キーが操作された時に前記表示管理部で管理する前記選択状態にある前記選択肢で前記アプリケーションの動作を制御する、ことを特徴とする請求項９に記載の眼科アプリケーション。
【請求項１１】
前記選択肢の選択位置を管理する表示管理部を更に備え、
前記動作制御手段は、
前記眼科装置が前記眼科画像を撮影した時に前記表示部に前記選択情報画像を表示させ、
前記眼科装置の前記選択移動キーが操作された時に前記表示管理部で選択肢の選択状態を更新し、
前記選択状態に応じた選択情報画像を生成させて前記表示部に前記選択情報画像を表示させ、
前記眼科装置の前記選択肢を実行する実行キーが操作された時に前記表示管理部で管理する前記選択状態にある前記選択肢で前記アプリケーションの動作を制御する、ことを特徴とする請求項１０記載の眼科アプリケーション。
【請求項１２】
前記選択肢の中に被検眼の撮像を含む前記被検眼の検査、の終了を含むことを特徴とする請求項１０又は１１に記載の眼科アプリケーション。
【請求項１３】
前記表示部に前記選択情報画像が表示されている状態において、前記選択肢を実行する前記実行キーが操作された時に、
前記動作制御手段は、前記表示部における前記選択情報画像の表示を解除し、もとの表示に戻すことを特徴とする請求項１０乃至１２の何れか一項に記載の眼科アプリケーション。